(57)【要約】【課題】取付けられたＩＣタグによる良好な通信を確保できる撮像装置を提供する。【解決手段】撮像装置１は、撮影レンズ鏡胴１１と、プラスチック製の光学ファインダ窓１２とを備えている。そして、撮影レンズ鏡胴１１の先端部にあるプラスチック製の飾り銘板１１ａの背後には、ＩＣタグＴ１が設けられている。また、光学ファインダ窓１２において黒色でマスクされる部分１２ｂの背後には、ＩＣタグＴ２が設けられている。このように電波を透過する透過部材の背後にＩＣタグＴ１、Ｔ２を配置するため、外部のリーダで情報の読取りを行う際にＩＣタグからの電波が遮蔽されないこととなる。その結果、取付けられたＩＣタグによる良好な通信を確保できる。【選択図】図１
2006211512.tif 000002
【特許請求の範囲】
【請求項１】
撮像装置であって、
(a)前記撮像装置の外面の一部を形成する前面を有し、電波を透過する透過部材と、
(b)前記撮像装置に係る情報を記憶し、前記透過部材において前記前面から後方に設けられるＩＣタグと、
を備えることを特徴とする撮像装置。
【請求項２】
請求項１に記載の撮像装置において、
前記透過部材は、プラスチック製の部材またはガラス製の部材であることを特徴とする撮像装置。
【請求項３】
請求項１に記載の撮像装置において、
前記透過部材は、シールであることを特徴とする撮像装置。
【発明の詳細な説明】
【技術分野】
【０００１】
本発明は、ＩＣタグが設けられる撮像装置に関する。
【背景技術】
【０００２】
物流の管理においては、商品に貼付されるバーコードに代わって、無線による情報送信が可能なＩＣタグの利用が始まっている。このＩＣタグの応用としては、例えば特許文献１に開示されているように、被写体が保持するＩＣタグから被写体の情報をデジタルカメラ(撮像装置)で取得する技術が提案されている。
【０００３】
また、ＩＣタグは極めて小さいため、デジタルカメラのように高度に集積された機器に取付ける場合でも、その設置スペースが少なくて済むという利点がある。
【０００４】
【特許文献１】特開２００３−１７４５７８号公報
【発明の開示】
【発明が解決しようとする課題】
【０００５】
しかしながら、上記のＩＣタグを機器に取付ける場合には無線通信を阻害する箇所への設置を行えない。すなわち、金属製の部材などの背後にＩＣタグを設置したのでは、ＩＣタグの電波が遮蔽されるため良好な通信を実施できない。一方、良好な通信を確保するために、撮像装置の外面上にＩＣタグを直接貼付すると、人や物がＩＣタグに接触して壊れる可能性がある。
【０００６】
本発明は、上記課題に鑑みてなされたものであり、取付けられたＩＣタグによる良好な通信を確保できる撮像装置を提供することを目的とする。
【課題を解決するための手段】
【０００７】
上記の課題を解決するため、請求項１の発明は、撮像装置であって、(a)前記撮像装置の外面の一部を形成する前面を有し、電波を透過する透過部材と、(b)前記撮像装置に係る情報を記憶し、前記透過部材において前記前面から後方に設けられるＩＣタグとを備える。
【０００８】
また、請求項２の発明は、請求項１の発明に係る撮像装置において、前記透過部材は、プラスチック製の部材またはガラス製の部材である。
【０００９】
また、請求項３の発明は、請求項１の発明に係る撮像装置において、前記透過部材は、シールである。
【発明の効果】
【００１０】
請求項１ないし請求項３の発明によれば、撮像装置に係る情報を記憶するＩＣタグは、電波を透過する透過部材において撮像装置の外面の一部を形成する前面から後方に設けられるため、ＩＣタグによる良好な通信を確保できる。
【００１１】
特に、請求項２の発明においては、透過部材がプラスチック製の部材またはガラス製の部材であるため、ＩＣタグによる良好な通信を簡易に確保できる。
【００１２】
また、請求項３の発明においては、透過部材がシールであるため、ＩＣタグによる良好な通信を簡易に確保できる。
【発明を実施するための最良の形態】
【００１３】
＜第１実施形態＞
＜撮像装置の構成＞
図１〜図３は、本発明の第１実施形態に係る撮像装置１の外観構成を示す図である。ここで、図１〜図３は、撮像装置１の正面図、背面図および下面図を表している。
【００１４】
撮像装置１は、例えばデジタルカメラとして構成されており、その外装面の各所には次で説明するＩＣタグが配設されている。
【００１５】
図４は、ＩＣタグＴ０の要部構成を示す平面図である。
【００１６】
ＩＣタグＴ０は、電池などの電源を内蔵しない電源非内蔵タイプ（パッシブタイプ）として構成されており、ＩＣタグリーダ(以下では単に「リーダ」という)との無線通信が可能となっている。また、ＩＣタグＴ０は、ＩＣチップとして構成されるメモリ部ｍ０と、渦巻き状のアンテナｎ０とを備えている。
【００１７】
メモリ部ｍ０は、例えば図５に示すような撮像装置１に関する情報を記憶する。
【００１８】
図１〜図３に戻って、撮像装置１に関する説明を続ける。
【００１９】
撮像装置１は、カメラ本体１０を有するとともに、その前面に撮影レンズ鏡胴１１と、光学ファインダ窓１２と、フラッシュ部１３とが設けられている。また、撮像装置１の前面には、リモコン受光窓１４と、セルフ撮影表示窓１５と、銘板１６とが設けられている。
【００２０】
撮影レンズ鏡胴１１の先端部には、レンズ１９のための開口Ｈ１１が形成されたプラスチック製の飾り銘板１１ａが設けられている。この飾り銘板１１ａは、撮像装置１の外面の一部を形成する前面１１ｆを有しており、飾り銘板１１ａの裏側には、図４に示すＩＣタグＴ０と同様の構成を有するＩＣタグＴ１が設けられている。具体的には、図１のVI−VI位置から見た断面図を示す図６のように、ＩＣタグＴ１が設置されている。
【００２１】
このようにＩＣタグＴ１を電波が透過する透過部材(以下では「電波透過部材」ともいう)として働く飾り銘板１１ａの前面１１ｆから後方の位置に配置することにより、撮影時には飾り銘板１１ａがカメラ本体１０から繰り出して突出するため、撮像装置１の前方にリーダがある場合には、カメラ本体１０や撮影レンズ自身の陰にＩＣタグＴ１が隠れることもなく、ＩＣタグＴ１とリーダとの良好な通信を確保できる。
【００２２】
光学ファインダ窓１２は、例えばプラスチック製の部材として構成されており、矩形状の開口１２ａ以外の部分１２ｂは黒色でマスクされている。このマスク部分１２ｂの背後には、図４に示すＩＣタグＴ０と同様の構成を有するＩＣタグＴ２が設けられている。
【００２３】
フラッシュ部１３は、図７(ａ)の平面図および図７(ｂ)の断面図に示すように、透明なプラスチック製の窓１３１と、例えばキセノン管で構成される発光チューブ１３２と、反射傘１３３とを備えている。そして、窓１３１の裏面側に形成された孔１３ｈに、図４に示すＩＣタグＴ０と同様の構成を有するＩＣタグＴ３が配設されている。このようにＩＣタグＴ３を電波透過部材として働く窓１３１において撮像装置１の外面の一部を形成する前面１３１ｆから後方に配置することにより、ＩＣタグＴ３による良好な通信を確保できることとなる。なお、ＩＣタグＴ３については、窓１３１の成型時に透明樹脂の中に封入しても良い。
【００２４】
リモコン窓１４は、例えばプラスチック製の部材として構成されており、撮像装置１を操作するリモコンからの制御信号を受信する部位である。このリモコン窓１４の裏面には、図４に示すＩＣタグＴ０と同様の構成を有するＩＣタグＴ４が配設されている。
【００２５】
プラスチック製のセルフ撮影表示窓１５の裏面には、図４に示すＩＣタグＴ０と同様の構成を有するＩＣタグＴ５が設けられている。
【００２６】
銘板１６は、撮像装置１の製品名やブランドマーク等が記入されたプラスチック製のプレートであり、この銘板の下面には、図４に示すＩＣタグＴ０と同様の構成を有するＩＣタグＴ６が設けられている。
【００２７】
また、撮像装置１の下面には、表示シール１７が貼付されている。この表示シール１７は、撮像装置１の製造番号を表示するもので、その裏側に図４に示すＩＣタグＴ０と同様の構成を有するＩＣタグＴ７が設けられている。具体的には、図３のVIII−VIII位置から見た断面図を示す図８のように、ＩＣタグＴ７が配設されている。このようにＩＣタグＴ７を電波透過部材として働く表示シール１７において撮像装置１の外面の一部を形成する前面１７ｆから後方に配置することにより、ＩＣタグＴ７による良好な通信を確保できることとなる。
【００２８】
特に、図３のように撮像装置１の識別のために貼付している表示シール１７の下部にＩＣタグＴ７を配置することにより、図５に示す撮像装置１の識別情報の読出しが容易となる。
【００２９】
すなわち、小さなＩＣタグはスペースが不要でデジタルカメラ等の小型機器への取付けには適しているが、内蔵されるアンテナｍ０(図４)のゲインが低いため、外部のリーダとの距離が離れると通信が困難となる。よって、リーダによる記憶情報の読取りではＩＣタグにリーダを近づけなければならないためＩＣタグの所在を認識する必要がある。このような場合、ＩＣタグＴ７のように製造番号を示す表示シール１７の直下に配置すれば、製造番号を含む識別情報が記録されたＩＣタグの所在を容易に特定できることとなる。また、表示シール１７は通常カメラ下面の平坦部に貼付されるため、その背後にあるＩＣタグＴ７にリーダを接近させる際にも制約を受けにくく、物流において自動読取りを行う場合などにも適している。
【００３０】
以上の構成を有する撮像装置１では、電波透過部材であるプラスチック製の飾り銘板１１などの背後にＩＣタグを配置するため、ＩＣタグによる良好な通信を確保できる。また、撮像装置の外面上にＩＣタグを直接貼付する場合には人や物がＩＣタグに接触して壊れる可能性があるが、撮像装置１においては電波透過部材の背後にＩＣタグを設置するため、ＩＣタグの保護が図れることとなる。
【００３１】
なお、ＩＣタグＴ１〜Ｔ７に記憶される撮像装置１に関する情報は図５に示す情報に限らず、例えば撮像装置１の部品のロット管理に用いられる情報や、撮像装置１のファームウェアのバージョン情報等を記憶するようにしても良い。これらの情報により撮像装置１の修理や物流での扱いを容易にすることができる。
【００３２】
＜第２実施形態＞
図９および図１０は、本発明の第２実施形態に係る撮像システム２の外観構成を示す図である。ここで、図９および図１０は、撮像システム２の正面図および側面図を示している。
【００３３】
撮像システム２は、例えばデジタルカメラとして構成される撮像装置２０と、撮像装置２０に装着自在なアクセサリ２３とを備えている。
【００３４】
撮像装置２０は、グリップ部にＩＣタグＴ０(図４)の記憶情報を無線通信によって読み取るリーダ２１が設けられるとともに、撮影レンズを内蔵する撮影レンズ鏡胴２２を備えている。なお、リーダ２１の位置はグリップ部に限らず、撮像装置２０の前面でアクセサリ２３に設置されたＩＣタグの記憶情報を受信できる位置に配置しても良い。
【００３５】
アクセサリ２３は、撮影レンズ鏡胴２２の先端に装着されるコンバータ２４と、コンバータ２４の先端に取付けられるフィルタ２５とで構成されている。
【００３６】
第１実施形態では、撮像装置自身にＩＣタグが取付けられていたが、本実施形態の撮像システム２では、アクセサリ２３にＩＣタグが設置されている。このＩＣタグの配置について以下で詳しく説明する。
【００３７】
図１１は、コンバータ２４の外観を示す斜視図である。また、図１２(ｂ)は、図１０のXII−XII位置から見たコンバータ２４の断面図である。
【００３８】
コンバータ２４は、ゴムリング２４１と、撮影レンズ鏡胴２２の先端で螺合するネジ部２４２と、フィルタ２５に接続するネジ部２４３と、レンズ等で構成される光学系２４４とを備えている。
【００３９】
ゴムリング２４１の裏側には、図４に示すＩＣタグＴ０と同様の構成を有してコンバータ２４の倍率情報を記憶するＩＣタグＴ１１が配設されている。なお、ＩＣタグＴ１１については、ゴムリング２４１の中に封入する構成としても良い。このようにコンバータ２４１にＩＣタグＴ１１を取付けるメリットを以下で説明する。
【００４０】
手振れ防止機能を有する撮像装置では手振れ補正の際の補正量は焦点距離に応じて異なるが、コンバータを撮像装置に装着すると撮影レンズにおけるズームの焦点域が変化するため、手振れ補正を精度良く行うにはコンバータの倍率(焦点距離)の情報が必要となる。
【００４１】
従来の撮像システムでは、コンバータの種類と倍率との関係を記録するデータテーブルを撮像装置で保持しておき、コンバータの装着時に撮影者がコンバータの種類をメニューから選択することでコンバータの倍率情報を撮像装置に与えていた。
【００４２】
これに対して本実施形態では、コンバータ２４自身が倍率情報を記憶するＩＣタグＴ１１を持つようにし、この記憶情報を撮像装置２０のリーダ２１によって読出すことで、必要な情報を自動的に撮像装置２０が取得できるようにした。これにより、従来のようなコンバータ２４の装着時における入力作業が不要となる。
【００４３】
同様に撮影レンズの歪曲収差をソフトで補正する場合には、コンバータの装着により歪曲の補正を適切に行うことが困難となるが、このような場合にもレンズ収差の情報をＩＣタグＴ１１に記憶しておけば、その情報をリーダ２１を介して撮像装置２０で取得できることとなる。そして、取得した情報に基づき補正量をコントロールすることで、精度の良い歪曲補正が可能となる。
【００４４】
図１３(ａ)は、フィルタ２５の外観を示す斜視図である。また、図１２(ａ)は、図１０のXII−XII位置から見たフィルタ２５の断面図である。
【００４５】
フィルタ２５は、フィルタ枠２５１と、フィルタ枠２５１で固定されるフィルタガラス２５２とを備えている。
【００４６】
フィルタ枠２５１は、その外面に円形状の孔２５ｈが設けられるとともに、コンバータ２４のネジ部２４３に螺合するネジ部２５３を備えている。この孔２５ｈの内部には、図１３(ｂ)に示すようにＩＣタグＴ０(図４)と同様の構成を有するＩＣタグＴ１２が取付けられている。そして、ＩＣタグＴ１２には例えばフィルタ２５の色情報や濃度情報が記憶されている。このような構成により、撮像装置２０は、リーダ２１を介してＩＣタグＴ１２に記憶されるフィルタ２４固有の情報を取得でき、画像処理などに利用できることとなる。
【００４７】
図１４は、撮像システム２の機能構成を示すブロック図である。
【００４８】
撮像システム２は、上述したＩＣタグＴ１１(Ｔ１２)を有するアクセサリ２３と、リーダ２１とを備えるとともに、リーダ２１とデータ伝送可能に接続する制御部３０を備えている。
【００４９】
撮像装置２０は、例えばＣＣＤなどの撮像素子を有する撮像部３１と、撮像部３１で光電変換して生成された画像信号に対して画像処理を施す画像処理部３２と、撮像装置２０内の各部に電力を供給する電源部３４とを備えている。上記の画像処理部３２で処理された画像データは、撮像装置２０に着脱可能な記録媒体(例えばメモリカード)９に保存されたり、制御部３０を介して表示部３３に表示される。この表示部３３については、リーダ２１で読み取られたＩＣタグの情報に関する表示も可能である(後述)。
【００５０】
制御部３０は、コンピュータとして働くＣＰＵおよびメモリを有しており、撮像装置２０の各部を統括的に制御する。また、制御部３０は、上述したようにリーダ２１を介してＩＣタグＴ１１、Ｔ１２からコンバータ２４の情報やフィルタ２５の情報を取得し、これらの情報を表示や画像処理などに利用する。このＩＣタグの情報とその利用について、以下で具体的に説明する。
【００５１】
図１５〜図１７は、アクセサリ２３に設けられたＩＣタグの記憶情報の一例を説明するための図である。
【００５２】
撮像装置２０に装着されるコンバータ２４には、例えば図１５(ａ)に示す情報が記憶されている。この情報の中には、コンバータ２５の倍率として「２倍」が記録されているが、これをリーダ２１を介して制御部３０が取得することで、図１５(ｂ)に示すような表示を表示部３３で行い撮影者に伝達したり、画像処理や制御に利用することが可能となる。
【００５３】
撮像装置２０に装着されるフィルタ２５には、例えば図１６(ａ)に示す情報が記憶されている。この情報の中には、フィルタ２５の種別として「ＮＤフィルタ」が記録されているが、これをリーダ２１を介して制御部３０が取得することで、図１６(ｂ)に示すような表示を表示部３３で行い撮影者に伝達したり、画像処理や制御に利用することが可能となる。
【００５４】
また、アクセサリ２３として撮像装置２０に装着されるクローズアップレンズには、例えば図１７(ａ)に示す情報が記憶されている。この情報の中には、クローズアップレンズの焦点距離として「５０ｍｍ」が記録されているが、これをリーダ２１を介して制御部３０で取得することで、図１７(ｂ)に示すような表示を表示部３３で行ったり、画像処理や制御に利用することが可能となる。
【００５５】
以上の構成を有する撮像システムでは、アクセサリにＩＣタグを設け、その記憶情報を撮像装置のリーダで読み取って表示等を行うため、アクセサリ固有の情報を撮像装置で簡易に取得して利用できることとなる。
【００５６】
なお、撮像装置２０に装着されるフィルタについては、図１３に示すようにＩＣタグＴ１２を設置するのは必須でなく、図１８に示すようにフィルタガラス２５ＡにＩＣタグＴ１３を取付けるようにしても良い。
【００５７】
すなわち、フィルタガラス２５Ａは、光学的に使用される円形状の領域(平行斜線部)２５５と、この領域２５５以外のリング状の領域２５４とに分けられるが、このリング状の領域２５４にＩＣタグＴ１３が設けられている。そして、ＩＣタグＴ１３は、ＩＣタグＴ０(図４)と同様のメモリ部ｍ１３と、メモリ部ｍ１３に一端が接続しリング状の領域２５４に拡がるコイルパターンとして形成されるアンテナｎ１３とを備えて構成されている。
【００５８】
＜第３実施形態＞
図１９および図２０は、本発明の第３実施形態に係る撮像装置４の外観構成を示す図である。ここで、図１９および図２０は、撮像装置４の縦断面図および正面図を示している。
【００５９】
撮像装置４は、例えばデジタルカメラとして構成されており、その前面に撮影レンズ鏡胴４１を備え、撮影レンズ鏡胴４１の奥に撮像素子４２を有している。この撮影レンズ鏡胴４１内には、光軸方向に移動可能なズームレンズ群４１１およびフォーカスレンズ群４１２が設けられている。
【００６０】
また、撮像装置４は、ポップアップ式のフラッシュ４３を備えており、アップ（起立）した位置Ｐ１と収納位置Ｐ２との間で回動可能な構成となっている。
【００６１】
フラッシュ４３は、発光部４３１とフラッシュカバー４３２とを有しており、フラッシュカバー４３２内側の平坦部には、２つのＩＣタグＴ２１、Ｔ２２が並列して貼付されている。
【００６２】
ＩＣタグＴ２１は、情報を記憶するＩＣチップとして構成されるメモリ部ｍ２１と、銅箔のパターンで形成されたコイル状のアンテナｎ２１とを備えている。
【００６３】
ＩＣタグＴ２２は、ＩＣタグＴ２１のメモリ部ｍ２１と同様のメモリ部ｍ２２と、ＩＣタグＴ２１のアンテナｎ２１より面積が小さいコイル状のアンテナｎ２２とを備えている。
【００６４】
第１・第２実施形態で用いたＩＣタグＴ０は、リーダとの距離が数ｃｍ程度の近距離での使用に限定されていたが、ＩＣタグＴ２１、Ｔ２２は、ＩＣタグＴ０のアンテナｎ０に比べてかなり大きいアンテナｎ２１、ｎ２２を有しているため、フラッシュ４３をアップした状態で通信すれば、リーダとの距離が数ｍ程度の遠距離での通信も可能となる。
【００６５】
また、ＩＣタグＴ２１のアンテナｎ２１とＩＣタグＴ２２のアンテナｎ２２とはコイルの巻き数が異なっており、このため使用する周波数帯域が異なっている。具体的には、ＩＣタグＴ２１は、ＩＣタグＴ２２より低い周波数を利用する。
【００６６】
このように低周波域を使用するＩＣタグＴ２１は、通信距離が長いという特性を有するとともに、高周波域を使用するＩＣタグＴ２２は、通信距離が短いという特性を有することとなる。そして、通信特性の異なる２タイプのＩＣタグＴ２１、Ｔ２２を状況に応じて使い分けるようにすれば、様々な環境においても最適な情報送信が可能となる。
【００６７】
以上の構成を有する撮像装置４では、ポップアップ式のフラッシュ部に周波数特性の異なる複数のＩＣタグが設けられるため、複数のＩＣタグによる最適な通信を行える。
【００６８】
なお、撮像装置４においては、フラッシュ４３を手動でポップアップさせるのは必須でなく、フラッシュ４３を自動的にポップアップさせるようにしても良い。この場合には、例えば撮像装置４に設けられた測距手段によりリーダまでの距離を求め、遠距離通信が必要となる時に自動的にフラッシュ４３をポップアップさせるようにする。これにより、ＩＣタグＴ２１、Ｔ２２を用いた遠距離通信が可能となる。
【００６９】
＜変形例＞
◎上記の第１実施形態においては、各ＩＣタグを窓部材やその保持部材上に配置するのは必須でなく、ＩＣタグを窓部材等の電波透過部材の中に一体的に封入するようにしても良い。このような場合でも、電波透過部材の前面に対して後方にＩＣタグが配置されることとなり、ＩＣタグによる良好な通信を確保できる。また、ＩＣタグをプラスチック製の部材の背後などに設けるのは必須でなく、ガラス製の部材の背後などに配設するようにしても良い。
【００７０】
◎上述した具体的実施形態には、以下の構成を有する発明が含まれている。
【００７１】
(１)撮像装置と前記撮像装置に装着可能なアクセサリとを有する撮像システムであって、前記アクセサリは、(a-1)前記アクセサリに係る情報を記憶するＩＣタグを備え、前記撮像装置は、(b-1)前記ＩＣタグに記憶される情報を無線通信によって読み取る読取手段と、(b-2)前記読取手段で読み取られた情報に基づいて撮像装置を制御する制御手段とを備えることを特徴とする撮像システム。
【００７２】
これにより、アクセサリの情報を撮像装置で簡易に取得して利用できる。
【００７３】
(２)所定のアクセサリを装着可能な撮像装置であって、(a)ＩＣタグに記憶される情報を無線通信によって読み取る読取手段と、(b)前記読取手段で読み取られた情報に基づいて撮像装置を制御する制御手段とを備え、前記所定のアクセサリは、前記所定のアクセサリに係る情報を記憶するＩＣタグを備えることを特徴とする撮像装置。
【００７４】
これにより、アクセサリの情報を撮像装置で簡易に取得して利用できる。
【００７５】
(３)所定の撮像装置に装着可能なアクセサリであって、前記アクセサリに係る情報を記憶するＩＣタグを備え、前記所定の撮像装置は、前記ＩＣタグに記憶される情報を無線通信によって読み取る読取手段と、前記読取手段で読み取られた情報に基づいて撮像装置を制御する制御手段とを備えることを特徴とするアクセサリ。
【００７６】
これにより、アクセサリの情報を撮像装置で簡易に取得して利用できる。
【００７７】
(４)撮像装置であって、(a)ポップアップ式のフラッシュ部と、(b)前記撮像装置に係る情報を記憶し、前記フラッシュ部に設けられる複数のＩＣタグとを備え、前記複数のＩＣタグは互いに異なる特性を有することを特徴とする撮像装置。
【００７８】
これにより、取付けられた複数のＩＣタグによる最適な通信を行える。
【図面の簡単な説明】
【００７９】
【図１】本発明の第１実施形態に係る撮像装置１の外観構成を示す図である。
【図２】撮像装置１の外観構成を示す図である。
【図３】撮像装置１の外観構成を示す図である。
【図４】ＩＣタグＴ０の要部構成を示す平面図である。
【図５】ＩＣタグＴ０に記憶される情報の一例を示す図である。
【図６】図１のVI−VI位置から見た断面図である。
【図７】フラッシュ部１３の要部構成を示す図である。
【図８】図３のVIII−VIII位置から見た断面図である。
【図９】本発明の第２実施形態に係る撮像システム２の外観構成を示す図である。
【図１０】撮像システム２の外観構成を示す図である。
【図１１】コンバータ２４の外観を示す斜視図である。
【図１２】図１０のXII−XII位置から見た断面図である。
【図１３】フィルタ２５の要部構成を示す図である。
【図１４】撮像システム２の機能構成を示すブロック図である。
【図１５】アクセサリ２３に設けられたＩＣタグの記憶情報の一例を説明するための図である。
【図１６】アクセサリ２３に設けられたＩＣタグの記憶情報の一例を説明するための図である。
【図１７】アクセサリ２３に設けられたＩＣタグの記憶情報の一例を説明するための図である。
【図１８】ＩＣタグＴ１３の要部構成を示す図である。
【図１９】本発明の第３実施形態に係る撮像装置４の外観構成を示す図である。
【図２０】撮像装置４の外観構成を示す図である。
【符号の説明】
【００８０】
１、４、２０  撮像装置
２  撮像システム
１１、２２、４１  撮影レンズ鏡胴
１１ａ  飾り銘板
１２  光学ファインダ窓
１３  フラッシュ部
１４  リモコン受光窓
１５  セルフ撮影表示窓
１６  銘板
１７  表示シール
２１  リーダ
２３  アクセサリ
２４  コンバータ
２５  フィルタ
３０  制御部
４３  ポップアップ式のフラッシュ
２４１  ゴムリング
２５１  フィルタ枠
Ｔ０〜Ｔ７、Ｔ１１〜Ｔ１３、Ｔ２１、Ｔ２２  ＩＣタグ
ｍ０、ｍ１３、ｍ２１、ｍ２２  メモリ部
ｎ０、ｎ１３、ｎ２１、ｎ２２  アンテナ
【図１】
2006211512.tif 000003
【図２】
2006211512.tif 000004
【図３】
2006211512.tif 000005
【図４】
2006211512.tif 000006
【図５】
2006211512.tif 000007
【図６】
2006211512.tif 000008
【図７】
2006211512.tif 000009
【図８】
2006211512.tif 000010
【図９】
2006211512.tif 000011
【図１０】
2006211512.tif 000012
【図１１】
2006211512.tif 000013
【図１２】
2006211512.tif 000014
【図１３】
2006211512.tif 000015
【図１４】
2006211512.tif 000016
【図１５】
2006211512.tif 000017
【図１６】
2006211512.tif 000018
【図１７】
2006211512.tif 000019
【図１８】
2006211512.tif 000020
【図１９】
2006211512.tif 000021
【図２０】
2006211512.tif 000022